(57)【要約】      （修正有）【課題】軽量化をした場合であっても、ビードコアを形成する複数のビードワイヤが離散してしまうのをより効果的に抑制して、耐久性を向上させた空気入りタイヤを提供する。【解決手段】ビードワイヤ３は、タイヤ径方向に対して傾斜して直線状に延びる平行な２つの直線部と、タイヤ幅方向に隣接する前記ビードワイヤ間で相互補完的な係合を完結する相補的形状部と、前記直線部及び前記相補的形状部間をつなぐ角部とからなる輪郭形状を有し、タイヤ幅方向に隣接する前記ビードワイヤは、それぞれのタイヤ径方向内側及び外側の前記直線部が相互に同一直線上に配置され、タイヤ幅方向断面にて、前記ビードコア２全体の形状は複数段及び複数列の前記ビードワイヤによって形成され、少なくともタイヤ径方向最内側の段が最も多くの列を有し、少なくともタイヤ幅方向最内側の列が最も多くの段数を有し、タイヤ幅方向最外側の列が最も少ない段数を有する。【選択図】図１
2010274768.tif 000002
【特許請求の範囲】
【請求項１】
タイヤ幅方向に並列するビードワイヤで構成されるビードコアを埋設した一対のビード部と、前記ビード部からタイヤ径方向外側に延びる一対のサイドウォール部と、両サイドウォール部間に跨って延びるトレッド部とを具え、これら各部に亘ってトロイド状に延び、両端部を前記ビードコアの周りに折り返してなるカーカスを有する空気入りタイヤにおいて、
前記ビードワイヤは、タイヤ径方向に対して傾斜して直線状に延びるとともに相互に平行する２つの直線部と、前記２つの直線部の間に延びるとともにタイヤ幅方向に隣接する前記ビードワイヤ間で相互補完的な係合を完結する相補的形状部と、前記直線部及び前記相補的形状部間をつなぐ角部とからなる輪郭形状を有し、
タイヤ幅方向に隣接する前記ビードワイヤは、それぞれのタイヤ径方向内側及び外側の前記直線部が相互に同一直線上に配置され、
タイヤ幅方向断面にて、前記ビードコア全体の形状は複数段及び複数列の前記ビードワイヤによって形成され、少なくともタイヤ径方向最内側の段が最も多くの列を有し、少なくともタイヤ幅方向最内側の列が最も多くの段数を有し、タイヤ幅方向最外側の列が最も少ない段数を有する
空気入りタイヤ。
【請求項２】
隣接する前記ビードワイヤは、互いに接触している、請求項１に記載の空気入りタイヤ。
【請求項３】
前記ビードワイヤの前記相補的形状部は、少なくとも１つの凸部を有する補完形状部と、少なくとも１つの凹部を有する被補完形状部とを具え、
前記ビードワイヤと、タイヤ幅方向に隣接する前記ビードワイヤと同一形状の他のビードワイヤとを係合する場合に、
前記ビードワイヤの前記被補完形状部及び前記他のビードワイヤの前記補完形状部で形成される係合部の、前記直線部と水平方向の距離を表す係合長さが、前記直線部の長さの少なくとも１０％の長さである
請求項１又は２に記載の空気入りタイヤ。
【請求項４】
前記ビードコア全体の形状において、少なくとも、最も多くの段数を有する列以外の列のタイヤ径方向外側に８５Ｈｓ以上のゴム硬度を有するゴム部材を備え、
前記ゴム部材は、タイヤ幅方向最外側の列を形成する段及び前記ゴム部材によって形成されるタイヤ径方向の高さが、少なくともタイヤ幅方向最内側の列を形成する段の高さとなるまで配置してなる請求項１〜３いずれか一項に記載の空気入りタイヤ。
【発明の詳細な説明】
【技術分野】
【０００１】
この発明は、タイヤ幅方向に並列するビードワイヤで構成されるビードコアを埋設した一対のビード部と、前記ビード部からタイヤ径方向外側に延びる一対のサイドウォール部と、両サイドウォール部間に跨って延びるトレッド部とを具え、これら各部に亘ってトロイド状に延び、両端部を前記ビードコアの周りに折り返してなるカーカスを有する空気入りタイヤに関するものである。
【背景技術】
【０００２】
一般にタイヤは、空気充填時、荷重負荷時或いは経時変化時にタイヤ径方向外側に膨張するため、ビードコアの周りに折り返して形成されるカーカスは、タイヤ幅方向断面にてタイヤ径方向外側に引っ張られ、カーカス引き抜けが生じる。これに伴い、当該カーカスに周りを囲われているビードコアは、カーカスが引き抜ける方向へ回転する変形を受ける。このような場合に、ビードコアのタイヤ幅方向の断面形状全体が例えば六角形又は長方形であると、個々のビードワイヤが応力による異なる負荷を受け、異なる疲労挙動が生じてしまう。
【０００３】
そこで、特許文献１には、ビードコアの六角形又は長方形の断面形状が角部を四角形又は三角形で削り取った断面形状となるように、ビードワイヤ（線材）を巻き回す構成が提案されている。かかる構成により、個々のビードワイヤにかかる負担が、ビードコアの断面形状の全体にわたって均一になるようにしている。
【先行技術文献】
【特許文献】
【０００４】
【特許文献１】特開平７−２７９０７０号公報
【発明の概要】
【発明が解決しようとする課題】
【０００５】
しかしながら、特許文献１に記載されているようなビードコアでは、断面形状においてビードワイヤの巻き回し回数が少ない部分、すなわち、断面形状の角部を四角形又は三角形で削り取った部分であるタイヤ幅方向外側の部分が、リムからの反力に耐えることが出来ず、変形してしまう。つまり、タイヤをリムに装着した際に、ビードコアに対しては、タイヤ径方向内側から外側方向に向かってリムからの反力が加わるが、ビードワイヤの巻き回し回数が少ないタイヤ幅方向外側の位置では、ビードワイヤ相互の拘束が弱いことから、ビードワイヤが互いに離散して、ビードコアの崩れを生ずる。
【０００６】
従ってこの発明では、タイヤ全体の軽量化を図ると共に、このように軽量化をした場合であっても、ビードコアを形成する複数のビードワイヤが離散してしまうのをより効果的に抑制して、耐久性を向上させた空気入りタイヤを提供することを目的とする。
【課題を解決するための手段】
【０００７】
この発明は、上記目的を達成するためになされたものであって、タイヤ幅方向に並列するビードワイヤで構成されるビードコアを埋設した一対のビード部と、前記ビード部からタイヤ径方向外側に延びる一対のサイドウォール部と、両サイドウォール部間に跨って延びるトレッド部とを具え、これら各部に亘ってトロイド状に延び、両端部を前記ビードコアの周りに折り返してなるカーカスを有する空気入りタイヤにおいて、前記ビードワイヤは、タイヤ径方向に対して傾斜して直線状に延びるとともに相互に平行する２つの直線部と、前記２つの直線部の間に延びるとともにタイヤ幅方向に隣接する前記ビードワイヤ間で相互補完的な係合を完結する相補的形状部と、前記直線部及び前記相補的形状部間をつなぐ角部とからなる輪郭形状を有し、タイヤ幅方向に隣接する前記ビードワイヤは、それぞれのタイヤ径方向内側及び外側の前記直線部が相互に同一直線上に配置され、タイヤ幅方向断面にて、前記ビードコア全体の形状は複数段及び複数列の前記ビードワイヤによって形成され、少なくともタイヤ径方向最内側の段が最も多くの列を有し、少なくともタイヤ幅方向最内側の列が最も多くの段数を有し、タイヤ幅方向最外側の列が最も少ない段数を有することを特徴としている。
なお、ビードコアは、１本又は複数のビードワイヤをタイヤ周方向に巻き回して、タイヤ幅方向に複数列及びタイヤ径方向に複数段積み重ねることによって形成される。従って、ビードコアのタイヤ幅方向断面は、複数のビードワイヤ断面の束によって形成される。また、ビードコアのタイヤ幅方向断面において、ビードコア全体の形状は、タイヤ径方向の最も内側の段が最も多くの列を有し、且つ隣接するビードワイヤの直線部が相互に同一直線上となるように、タイヤ径方向の最も内側の直線部によって形成される長い直線部（以下、底辺と呼ぶ）を有する。従って、「タイヤ幅方向最内側の列が最も多くの段数を有し」とは、ビードコア断面形状において、タイヤ幅方向の最も内側の列の、この底辺からタイヤ径方向外側までの距離が最も長いことを意味する。また、「タイヤ幅方向最外側の列が最も少ない段数を有する」とは、ビードコア断面形状において、タイヤ幅方向の最も外側の列の、底辺からタイヤ径方向外側までの距離が最も短いことを意味する。
【０００８】
また、隣接する前記ビードワイヤは、ビードワイヤ間に被覆ゴム等を介在させることなく、互いに接触していることが好ましい。
【０００９】
また、ビードワイヤの前記相補的形状部は、少なくとも１つの凸部を有する補完形状部と、少なくとも１つの凹部を有する被補完形状部とを具え、前記ビードワイヤと、タイヤ幅方向に隣接する前記ビードワイヤと同一形状の他のビードワイヤとを係合する場合に、前記ビードワイヤの前記被補完形状部及び前記他のビードワイヤの前記補完形状部で形成される係合部の、前記直線部と水平方向の距離を表す係合長さが、前記直線部の長さの少なくとも１０％の長さであることが好ましい。
【００１０】
また、前記ビードコア全体の形状において、少なくとも、最も多くの段数を有する列以外の列のタイヤ径方向外側に８５Ｈｓ以上のゴム硬度を有するゴム部材を備え、前記ゴム部材は、タイヤ幅方向最外側の列を形成する段及び前記ゴム部材によって形成されるタイヤ径方向の高さが、少なくともタイヤ幅方向最内側の列を形成する段の高さとなるまで配置してなることが好ましい。
ここで、「最も多くの段数を有する列以外の列」とは、タイヤ幅方向内側の最も多い段数とは異なる段数を有する、その他の全ての列のことを意味する。なお、ここで言う「ゴム硬度」とは、ＪＩＳ  Ｋ６２５３に従う、デュロメータ硬さ・タイプＡ試験機を用いて、試験温度２３℃にて測定したときのゴム硬さを意味する。また、「タイヤ幅方向最外側の列を形成する段及び前記ゴム部材によって形成されるタイヤ径方向の高さ」とは、ゴム部材をビードコアのタイヤ径方向外側上に載置した場合に、タイヤ幅方向最外側の列を形成するビードワイヤとゴム部材とによって形成される、上記底辺に対して垂直方向の高さのことを意味する。すなわち、ビードコアに載置した際のゴム部材の高さは、底辺に対して垂直方向において、最も多い段数と最も少ない段数との高さの差以上の高さであればよい。
【発明の効果】
【００１１】
この発明によれば、ビードコアのタイヤ幅方向断面の全体形状を、タイヤ幅方向外側且つタイヤ径方向外側の位置のビードワイヤの段数を少なくすると共に、タイヤ幅方向に隣接するビードコアを相互に相補的形状部で係合することによって、軽量化を図ると共に、ビードコアを形成する複数のビードワイヤの離散をより効果的に抑制し、耐久性を向上させた空気入りタイヤを提供することが可能となる。
【図面の簡単な説明】
【００１２】
【図１】リムに適用されたこの発明の一実施形態の空気入りタイヤの、ビード部のタイヤ幅方向断面を示す図である。
【図２】図１のビードコアの一部を拡大して示す拡大断面図である。
【図３】（ａ）〜（ｕ）は、この発明によるタイヤに適応可能な種々のビードワイヤのタイヤ幅方向断面を示す図である。
【図４】（ａ）〜（ｅ）は、この発明によるタイヤのビードワイヤのタイヤ幅方向の断面図である。
【図５】（ａ）はこの発明によるタイヤのビードコアの側面図であり、（ｂ）はこの発明によるタイヤのビードコアのタイヤ幅方向の断面図である。
【図６】（ａ）、（ｂ）は、それぞれこの発明によるタイヤのビードコアの巻き始め端及び巻き終わり端を示す斜視図である。
【図７】この発明によるタイヤのビード部のタイヤ幅方向の断面図である。
【発明を実施するための形態】
【００１３】
以下に、この発明の実施の形態を図面に基づき説明する。図１は、リムに適用されたこの発明の空気入りタイヤ（以下「タイヤ」と言う）の一実施形態の、ビード部のタイヤ幅方向断面を示す断面図である。なお、本願では、断面図周囲の太線で囲われる形状のことを、「ビードコアの全体形状」と言っている。図２は、図１のビードコアの一部分を拡大して示した拡大断面図である。
【００１４】
図１に示すこの実施形態のタイヤは、慣例に従い、ビード部１と、図示しないサイドウォール部と、カーカス４と、図示しないトレッド部の補強に供される、カーカス４のクラウン部外周を取り囲んで積層した、図示しないゴム被膜スチールコードの複数層から成る図示しないベルト層とを具える。カーカス４は、ラジアルカーカス又はバイアスカーカスのどちらでも良い。またカーカス４は、例えばスチールコードをラジアル配列又はバイアス配列してなるプライを、一対のビードコア２間に亘ってトロイド状に跨って配置し、ビードコア２の周りにタイヤの内から外へ巻き返すことによって、ビードコア２にその両端が固定されている。
【００１５】
ビードコア２は、タイヤ幅方向に複数列に並列し、且つ、複数段の積層状に積み重ねて配列される環状のビードワイヤ３から構成される。ここで、この発明のビードコアでは、タイヤ幅方向に隣接する前記ビードワイヤは、タイヤ幅方向断面にて、前記ビードコア全体の形状は複数段及び複数列の前記ビードワイヤによって形成され、少なくともタイヤ径方向最内側の段が最も多くの列を有し、少なくともタイヤ幅方向最内側の列が最も多くの段数を有し、タイヤ幅方向最外側の列が最も少ない段数を有するようになっている。例えば図１に示すように、ビードコア２を形成するビードワイヤ３が、ビードコア２の（タイヤ径方向内側から）下側３段では８列並列して配置され、また、（タイヤ径方向外側から）上側４段には、タイヤ幅方向の内側４列だけにビードワイヤ３が配置されることで構成されている。但し、図１の形状のように、必ずしも１段のみの段数を有する形状に限定されるものではなく、タイヤ幅方向外側且つタイヤ径方向外側に位置するビードワイヤの数を調節することで、複数段の段数を有する形状にすることもできる。
【００１６】
このように、タイヤ幅方向外側且つタイヤ径方向外側の位置のビードワイヤの段数を少なくする理由は、ビードコア回転の中心となるビードコア重心位置（ビードコアの回転軸心）を変位させることができるからである。すなわち、例えば上記のようにビードコアの断面形状を変化させると、ビードコア重心位置がトゥ部２０側に変位するので、このビードコア重心位置を軸心としてビードコアが回転した場合に、リム５とビード部１との接触面であるリムベースからの反力によってビードコアが支えられる範囲を増加させることができる。従って、カーカス４の引き抜き方向への力が同等である場合には、ビードコア重心位置をずらさない場合と比較して、実施例のようにビードコア重心位置をずらす構成とする場合の方が、ビードコア回転に対する抗力となるリムベースからの反力が有効に作用し、ビードコア回転抑止効果（カーカス引き抜け防止力）を向上させることができるのである。
また、上記理由から、タイヤ径方向内側ではなく外側のビードワイヤの段数を減らせば、ビードコアのタイヤ径方向内側部分（すなわち、ビードコア断面形状における上記底辺）を維持することができるので、リムベースからの反力によってビードコアが支えられる範囲を十分に確保して、反力による作用を効果的に利用することが可能となる。
また更に、この削除したビードワイヤ分だけビードコアを軽くすることができ、タイヤ全体の軽量化を図ることが可能となる。
【００１７】
さらに、各ビードワイヤ３は、図２に示すように（ここでは説明の簡単のために、図１に示されるビードコア２を形成する複数のビードワイヤの一部である、３つのビードワイヤを、ビードワイヤ３ａ、ビードワイヤ３ｂ、ビードワイヤ３ｃとする）、タイヤ幅方向断面において、タイヤ径方向に対して傾斜して直線状に延びる直線部７と相互に隣接するビードワイヤ３ａ、３ｂ、３ｃ間で形状的に相互に補完し合う相補的形状部９とそれらをつなぐ角部１０とを具えて構成される断面形状を有する。直線部７は、タイヤ径方向外側（図２で示す上側）とタイヤ径方向内側（図２で示す下側）に相互に平行する上側直線部７ａ及び下側直線部７ｂで構成される。相補的形状部９は、例えば、ビードワイヤ３ｂにおいて、これら２つの直線部７ａ、７ｂの間に延びると共に、タイヤ幅方向に隣接する他のビードワイヤ３ａを補完する部分である、少なくとも一つの凸部を有する補完形状部９ａと、上記他のビードワイヤ３ａのタイヤ幅方向反対側に隣接するビードワイヤ３ｃの凸部に補完される部分である少なくとも一つの凹部を有する被補完形状部９ｂで構成される。つまり、図２に示すように、それぞれの補完形状部９ａ及び被補完形状部９ｂにより、ビードワイヤ３ａとビードワイヤ３ｂが、及び、ビードワイヤ３ｂとビードワイヤ３ｃが、係合される。
【００１８】
また、ビードワイヤ３ａの直線部７ａは、ビードワイヤ３ｂの直線部７ａと同一直線上にあり、ビードワイヤ３ａの直線部７ｂは、ビードワイヤ３ｂの直線部７ｂと同一線上にある。
【００１９】
タイヤ幅方向に隣接するビードワイヤ３を上記のような構成にして、それぞれを相補的形状部で係合することによって、空気充填時、荷重負荷時或いは経時変化時等にビードコアに加えられる回転応力が、ビードワイヤ相互間で伝達され易くなる。また、直線部７が隣接するビードワイヤ同士で一直線になっているので、リムからの押圧力がビードワイヤの特定の箇所に集中することがない。これにより、ビードコアに加えられる回転応力が分散され、ビードコア全体としての回転変形が小さくなる。すなわち、回転剛性は大きくなる。さらに、回転応力が加えられたときに、上記相補的形状部が相互に束縛するように作用するため、隣接するビードワイヤをタイヤ径方向上側又は下側に押し動かすことが難しくなり、ビードコア全体としてビードワイヤの周方向の張力分布が均一化される。このように、ビードコア全体としての回転剛性を大きくしてカーカス４の引き抜けを抑制することができるので、ビード部１の耐久性の向上が可能な空気入りタイヤを提供することが可能となる。
【００２０】
なお、相補的形状部９を構成する補完形状部９ａ及び被補完形状部９ｂの形状は、タイヤ幅方向に隣接するビードワイヤ３に対して形状的に相互に補完し合うものであれば特に限定されず、例えば、図３（ａ）〜（ｕ）に示すように、凸部及び凹部が複数であったり、曲線状であったり、キー及びキー溝型であっても良い。なお、図３に示す図はいずれも、図２に示すビードコア２を形成する、複数のビードワイヤ３のタイヤ幅方向の断面形状の一部（タイヤ幅方向３列且つタイヤ径方向３段のビードワイヤ）である。また、例えば図３（ａ）と図３（ｂ）で異なるように、凸部及び凹部を左右逆向きにしても良い。さらに、図３（ａ）及び（ｂ）に示すように、タイヤ径方向に上下で隣接するビードワイヤ３の角部１０が、相互に揃うように配置しても良く、或いは、図３（ｃ）及び（ｄ）に示すように、タイヤ径方向に上下で隣接するビードワイヤ３の角部１０が、タイヤ幅方向にずれるように配置しても良いが、特に、図３（ａ）に示すビードコア２の断面形状であるのが好ましい。
【００２１】
以上の通り、この発明の構成によれば、軽量化を目指すために、ビードワイヤの巻き回数を減らそうとすればするほど、ビードコアの構造がリムからの反力に耐え難い構造となってしまうという問題を解消し、軽量化を実現してもなお、リムからの反力にも耐え得る耐久性の向上した空気入りタイヤを提供することができる。
【００２２】
またこの発明では、ビードワイヤと、タイヤ幅方向に隣接する他のビードワイヤとを係合する場合に、前記ビードワイヤの前記被補完形状部及び前記他のビードワイヤの前記補完形状部で形成される係合部の、前記直線部と水平方向の距離を表す係合長さは、前記直線部の長さの少なくとも１０％の長さを有する。ここで「係合部」とは、例えばビードワイヤ３ａの補完形状部９ａとビードワイヤ３ｂの被補完形状部９ｂが係合する場合に、直線部７に対して垂直な平面において、ビードワイヤ３ａとビードワイヤ３ｂが重なる部分のことを言う（図２で言う点線ＰとＰ’の間）。また「係合長さ」とは、上記係合部の、直線部７と水平な方向における距離Ｌ（点線Ｐ及びＰ’間の距離）のことを言う。すなわち、ビードワイヤ３ａの補完形状部９ａとビードワイヤ３ｂの被補完形状部９ｂが係合する場合、ビードワイヤ３ｂの被補完形状部９ａの端部は、当該ビードワイヤ３ａの上側直線部７ａ又は下側直線部７ｂの長さの少なくとも１０％の長さ（深さ）まで到達するように、直線部と平行に、ビードワイヤ３ｂの被補完形状部９ｂに差し込まれることが好ましい。ここで、ビードワイヤ３ａの補完形状部９ａとビードワイヤ３ｂの被補完形状部９ｂは接触して係合することがより好ましいが、隙間が空いた状態であっても、係合部の係合長さＬが直線部７の長さの少なくとも１０％以上となるように係合されれば良い。
【００２３】
係合長さＬを、直線部７の長さの少なくとも１０％以上とすることによって、隣接するビードワイヤ同士を強固に係合させることができる。これにより、回転応力が加えられたときに、強固に係合された相補的形状部が相互に束縛されるため、隣接するビードワイヤをタイヤ径方向上側又は下側に押し動かすことが難しくなる。そうすると、ビードコアのタイヤ幅方向断面の回転剛性が大きくなってビードコア全体としての回転変形が小さくなり、また、ビードコア全体としてビードワイヤの周方向の張力分布を、より効果的に均一化することができる。
係合長さＬが直線部７の長さの１０％未満であると、回転応力が加えられた場合に、隣接するビードワイヤが互いに離散して、ビードコアの崩れが生じてしまう。すなわち、隣接するビードワイヤが相互に拘束されるように、効果的に係合されていない。従って、係合長さＬは、直線部７の長さの少なくとも１０％以上とするのが好ましい。
【００２４】
なお、係合部の係合長さＬは、直線部７の長さの３０％であることがより好ましい。係合長さＬをこのようにすることで、隣接するビードワイヤ同士がより強固に係合されるので、回転応力が加えられた際のビードコア全体の回転変形を更に効果的に抑制し、また、ビードワイヤの周方向の張力分布を更に効果的に均一化することができる。
【００２５】
また、係合部の係合長さＬは、直線部７の長さの５０％以下であることが好ましい。係合長さＬを長くすることで、隣接するビードワイヤ同士を強固に係合することはできるが、係合長さＬが長くなるような断面を有するビードワイヤを、隣接するビードワイヤ同士で相互に係合させながら配置することは非常に困難であり、製造工程を複雑にすると共に、製造時間を増加させてしまう。従って、係合長さＬを直線部７の長さの５０％以下とすれば、複雑な製造工程を必要とすることなく、隣接するビードワイヤ同士を効果的に係合させることができる。
【００２６】
また、この発明において、隣接するビードワイヤ間に被覆ゴム等を介在させ（図示していない）、隣接するビードワイヤを相互に接着しても良い。しかしならが、このような被覆ゴムを隣接するビードワイヤ３間に設けると、この被覆ゴムが経時的にクリープ変形して潰されビードコア全体としての変形が大きくなる。従って、ビードコア全体としての経時的変化の低減という視点から見た場合、隣接するビードワイヤ３は、互いに接触していることが好ましい（図１〜３参照）。
このように、隣接するビードワイヤ３を相互に直接接触させることで、被覆ゴムを介在させた場合に比べてビードコア２の全体としての経時的変化を小さくすることができるので、さらにカーカス４の引き抜けを抑制することができるとともにカーカス４の端部の歪みを小さくすることができる。
【００２７】
さらに、ビードワイヤ３の下側直線部７ｂとタイヤ径方向のなす角は、９０度以上１１５度以下の範囲にあることが好ましい。このようにすることで、ビードワイヤ３を巻回してビードコア２を形成した際にビードコア２に所定のテーパ角度与え、ひいてはリムと当接するビード部１の下部に適正なテーパ角度を与えることができる。
【００２８】
図４（ａ）〜（ｅ）は、この発明に従う他のビードワイヤの断面の例を示す断面図である。この発明に従うビードワイヤは、直線部７及び相補的形状部９が交わる角部１０を有するが、これによりこの角部、特には鋭角となる角部において応力集中が生じる。この応力集中によりビードコア周りに亀裂が生じると、ビード部の耐久性は著しく低下する。そこでこのような角部に発生する応力集中を低減させるべく、図４に示すように、ビードワイヤの直線部７及び相補的形状部９とを結合している角部１０は、面取りされていることが好ましい。これにより、ビードコア２に回転応力が生じた際にその角部１０に加わる応力が分散し、ビードコア２とカーカス４の接触部の損傷（亀裂）を防止できる。
【００２９】
図５（ａ）は、この発明に従うビードコアをタイヤから取り出した状態を概略的に示す側面図であり、図５（ｂ）は、この発明に従うビードコアのタイヤ幅方向断面を示す断面図である。ビードコア２は、図５（ａ）、（ｂ）に示す通り、タイヤ幅方向外側且つタイヤ径方向外側のビードワイヤ段数が少ない部分を覆って、ビードコア２全体の形状を維持するように、拘束部材６によって拘束されていることが好ましい。
【００３０】
拘束部材は、８５Ｈｓ以上のゴム硬度を有するゴム部材とすることができる。リムからの反力が加わると、ビードコアは、加えられた力の方向に回転しようとする。この時ゴム硬度が８５Ｈｓ未満であると、ゴムが十分に硬くないために、ビードコアの回転を抑制することができない。従ってゴム部材には、ビードコアの回転を十分に抑制することができるように、８５Ｈｓ以上のゴム硬度を有するものを用いるのが好ましい。
そして、このゴム部材は、ビードコアのタイヤ径方向外側に載置した場合に、タイヤ幅方向最外側の列を形成するビードワイヤと載置したゴム部材とによって形成される、ビードコア全体形状の上記底辺に対して垂直方向の高さが、タイヤ幅方向最内側の列の高さと同じか、又はそれ以上であることが好ましい。すなわち、ビードコア２に載置した際のゴム部材の高さは、底辺に対して垂直な方向において、最も多い段数を有するビードワイヤの列の高さと最も少ない段数を有するビードワイヤの列の高さとの差以上であれば良い。従って、図５（ｂ）で示すように、タイヤ径方向外側且つタイヤ幅方向外側のビードワイヤの段数が少ない部分だけでなく、ビードコアの断面形状全体が覆われるように、タイヤ径方向外側全体にゴム部材を載置してもよい。
【００３１】
また、拘束部材６としては、ゴム部材に代えて、スチールやアルミニウム合金等の金属で形成することができるが、必ずしもこれに限定するわけではない。
【００３２】
これにより、ビードコアの形状を、タイヤ幅方向外側且つタイヤ径方向外側のビードワイヤの段数を少なくする形状とする場合であっても、リムからの反力によりビードワイヤが離散するのを、効果的に抑制することができる。従って、ビードコアの断面形状を安定化させることができ、ビードコアの変形を防ぐことができるので、タイヤ全体の耐久性を向上させることができる。なお、上述の通り、各ビードワイヤは、隣接する直線部が同一直線上に位置するように配置されている。従って、ビードコアのタイヤ径方向下側及び上側に凹凸が生じることがないので、このように拘束部材を配置する際にも、より効果的にビードワイヤを拘束することができる。
【００３３】
さらに、ビードコア２は、複数本のビードワイヤ３をタイヤ径方向に積層状に複数回巻回したものをタイヤ幅方向に並列に配置して構成したものであり、図５（ａ）に示すように、同一ビードワイヤ３の巻き始め端１５と、巻き終わり端１７とのタイヤ周方向位置が相互に異なることが好ましい。このように複数本のビードワイヤ３で構成されるビードコア２は、１本のビードワイヤ３をタイヤ径方向に順次巻回して構成されたビードコア２に比べ、ビードコア２の生産に要する時間が大幅に短縮できる。しかしながら、ビードワイヤ３の巻き始め端１５や巻き終わり端１７がビードコア２周上の一箇所に集中すると、この段差に応力集中しやすく破壊強度の低下を招き、特に巻き始め端１５が曲げ応力の支点となりビード部１の損傷を起こすことがある。そこで、同一ビードワイヤ３の巻き始め端１５と巻き終わり端１７とをタイヤ周方向位置で異ならせることにより、ビードコア２の生産効率を向上させつつ、応力集中を低減させることができる。さらには、図５（ａ）に示すように、巻き始め端１５及び巻き終わり端１７とビードコア２の中心点Ｃとをそれぞれ結んでなる線分が相互に交わってなる角度θは、４０度以上８０度以下の範囲内にあることが好ましく、特には６０度であるのが好ましい。なぜなら、この角度θが４０度未満の場合は、応力集中の低減の効果が十分でなく、８０度を超えるとビードコア２の周上の重量バランスを低下させタイヤのユニフォミティーが悪化するからである。
【００３４】
図６（ａ）、（ｂ）は、それぞれこの発明に従うビードコアの巻き始め端及び巻き終わり端を示す斜視図であり、ビードコア２は、図６（ａ）、（ｂ）に示すように複数本のビードワイヤ３をタイヤ径方向に積層状に複数回巻回したものをタイヤ幅方向に並列に配置して構成したものであり、各ビードワイヤ３の巻き始め端１５及び巻き終わり端１７のタイヤ周方向位置がそれぞれ相互に異なることが好ましい。ビードコア２を複数本のビードワイヤ３で構成すると生産効率の面から有利であることは、上述の通りである。しかしながら、各ビードワイヤ３の巻き始め端１５及び巻き終わり端１７のタイヤ周方向位置がそれぞれ相互に同一の場合、すなわちこれら端１５及び１７がタイヤ幅方向に揃っている場合、これら段差に応力集中しやすく破壊強度の低下を招くとともに応力の支点となりビード部１の損傷を起こすことがある。そこで、各ビードワイヤ３の端１５及び１７を、周方向位置でそれぞれに異ならせることで、ビードコア２の生産効率を向上させつつ、応力集中を低減させることができる。
【００３５】
なお、上述したところは、この発明の実施形態の一部を示したに過ぎず、この発明の趣旨を逸脱しない限り、これらの構成を相互に組み合わせたり、種々の変更を加えたりすることができる。例えば、ビードコア２の周りにタイヤの内から外へ巻き返して配置されたカーカス４を、図７に示すようにさらにビードコア２の周りを包囲するように配置させても良く、このようにすることでカーカス４をさらに引き抜かれ難くしビード部１の耐久性を一層高めることができる。また、ビードワイヤ３のタイヤ幅方向断面における断面形状も、この明細書に例示的に示したものには限られるものではない。
【実施例】
【００３６】
次に、この発明の効果を確認するために、この発明によるタイヤ（実施例）及び従来技術のタイヤ（従来例）を試作し、以下の試験により比較検討を行った。
【００３７】
試験に用いたタイヤはいずれも、タイヤサイズ１１Ｒ２２．５のチューブレスのトラック・バス用ラジアルタイヤであり、以下の諸元を有する。
【００３８】
実施例１のタイヤは、図１に示したビード部を有するタイヤであって、ビードコアは、図２に示すタイヤ幅方向断面を有する金属製のビードワイヤを、図３（ａ）に示す向きにタイヤ幅方向に、タイヤ径方向内側３段が８列及びタイヤ径方向外側４段が４列となるように並列に配置している。更に、ビードワイヤが、図２及び図３（ａ）に示すタイヤ幅方向断面を有しており、係合部の係合長さは、直線部の３０％長である。また、ビードワイヤ間は直接接触しており、ビードワイヤの直線部とタイヤ径方向のなす角度は１０５度である。またこのタイヤは、１層のカーカスの両端部がビードコアの周りにタイヤ内側から外側に折り返され、トレッド部のカーカス外周側には４層のベルト層が配置される構成となっている。なお、ビード部以外の構造は、慣例の空気タイヤに従うものであるので、説明を省略する。
【００３９】
実施例２のタイヤは、ビードワイヤの係合部の係合長さが、直線部の１０％長であることを除いて、実施例１のタイヤと同じ構造を有する。
【００４０】
実施例３のタイヤは、図５（ｂ）の如く、ビードコアのタイヤ幅方向断面において、タイヤ幅方向外側且つタイヤ径方向外側に、拘束部材として８５Ｈｓのゴム硬度を有するゴム部材を載置したことを除いて、実施例１のタイヤと同じ構造を有する。
【００４１】
従来例のタイヤは、上記ビードワイヤに代えて、タイヤ幅方向断面が長方形であるビードワイヤを用いてビードコアを形成したものである。すなわち、タイヤ幅方向断面が長方形である金属製のビードワイヤを、タイヤ径方向内側３段が８列及びタイヤ径方向外側４段が４列となるように並列に配置している。その他の構成及び条件は、実施例１と同じである。
【００４２】
これらの各試験タイヤを、以下に示す方法により、ビード部１の耐久性の試験を行った。
【００４３】
ビード部の耐久性試験は、上記タイヤを同じく８．２５インチのリムに装着し、室温が３０〜５０℃の下、内部に８７．５ｋＰａの空気圧を適用し、室内ドラム試験機を用いて、これらタイヤを５８ｋＮの荷重の作用下で６０ｋｍ／ｈの速度で負荷転動させ、ビード部１が故障するまでの走行距離を計測した。結果を表１に示す。
【００４４】
【表１】
2010274768.tif 000003
【００４５】
表１の結果から明らかなように、ビードワイヤのタイヤ幅方向断面形状を、タイヤ幅方向に隣接するビードワイヤを相補的な形状により相互に係合することにより、ビード部の耐久性は顕著に向上することが確認された。
【００４６】
さらに、相補的な形状により相互に係合する際の係合部の係合長さを長くすることにより、ビード部の耐久性が一層向上することが確認された。
【００４７】
またさらに、タイヤ幅方向外側且つタイヤ径方向外側のビードワイヤの段数が少ない部分に、拘束部材を配置することによって、ビード部の耐久性がより一層向上することが確認された。
【産業上の利用可能性】
【００４８】
この発明によって、タイヤ全体の軽量化を図ると共に、このように軽量化をした場合であっても、ビードコアを形成する複数のビードワイヤが離散してしまうのをより効果的に抑制して、耐久性を向上させた空気入りタイヤを提供することが可能となった。
【符号の説明】
【００４９】
１        ビード部
２        ビードコア
３        ビードワイヤ
４        カーカス
５        リム
６        拘束部材
７        直線部
７ａ      上側直線部
７ｂ      下側直線部
９        相補的形状部
９ａ      補完形状部
９ｂ      被補完形状部
１０      角部
１５      巻き始め端
１７      巻き終わり端
２０      トゥ部
【図１】
2010274768.tif 000004
【図２】
2010274768.tif 000005
【図３】
2010274768.tif 000006
【図４】
2010274768.tif 000007
【図５】
2010274768.tif 000008
【図６】
2010274768.tif 000009
【図７】
2010274768.tif 000010